(57)【特許請求の範囲】
【請求項１】
自動車のホィール軸受部にあってその回転数の検出をなすための多極磁石と補強環で構成された回転センサ用ローターにおいて、
前記ローターは、前記多極磁石をフランジ部へ配した補強環と、前記多極磁石を外部側から包み込む非磁性体製のカバーリングでなり、このカバーリングは、前記多極磁石の外表面を覆う立板部と、前記多極磁石の外周面を覆う筒部とを有し、
前記補強環と前記カバーリングとをカシメ手段を用いて一体化せしめ、前記ローターの外方から回転数検出センサーを近接配備せしめ、
前記カバーリングの前記筒部は、多極磁石の外周面を覆う覆い部と、この覆い部から延びる端縁とで成り、この端縁を、このカバーリングの他の部分よりも薄肉に形成した薄肉部とし、且つ、前記カバーリングの前記端縁は、円周方向の複数個所に先端から軸方向に延びるスリットを有し、前記筒部の覆い部の、前記端縁の付近を多極磁石の外周面の軸受内側端に当接させて、この当接部分以外で前記覆い部と多極磁石の外周面との間に径方向隙間を設け、
前記カシメ手段は、カバーリングの前記端縁をフランジ部側に折り曲げて多極磁石を前記カバーリングで軸方向に挟み、補強環に前記薄肉部を変形かしめせしめたものとしたことを特徴とした回転センサ用ローター。
【請求項２】
前記カバーリングはその厚みを０．１ｍｍ〜０．６ｍｍに形成されることを特徴とした請求項１の回転センサ用ローター。
【請求項３】
前記補強環あるいはカバーリングに弾性体からなるシールリップを形成せしめたことを特徴とした請求項１または２の回転センサ用ローター。
【請求項４】
前記補強環と前記カバーリングとのカシメ手段は、前記カバーリングの部分変形カシメであることを特徴とした請求項１ないし３のいずれか１項の回転センサ用ローター。
【発明の詳細な説明】
【０００１】
【発明の属する技術分野】
本発明は、相対回転する軸受部の回転数検出構造に関し、具体的には自動車のアンチロックブレーキシステムあるいはトラクションコントロールシステムなどの配備のための前後・左右の車輪の回転数を検出する回転センサ用ローターに関する。
【０００２】
【従来の技術】
従来、自動車の各車輪の回転差を防止するための車輪回転数検出装置としては次のような構造が多く用いられている。
すなわち、前記の如くの回転数検出装置はパルス発生ローターとこのパルスを感知する感知センサーからなっており、その一般的な構造としては、補強環の径方向部に多極磁石からなるパルス発生手段を配置し、このパルス発生手段へ感知センサーを近接配備した回転数検出が開発され実用化に至っている。このような構造は多くの場合補強環の端部へシールリップを形成し密封機能を付加することが図られている。
以下、図面を参照しつつ詳述する。
【０００３】
このような従来例の一例を図面によつて説明すると、図６に示すように、外輪（１ａ）に嵌合されたオイルシール（２）へパルス発生リング（３）が取り付けられ、このパルス発生リング（３）を回転数検出センサー（４）で感知検出する構造がある。
ここで軸受（１ａ、１ｂ）はその内輪（１ｂ）にリップが摺接するオイルシール（２）によって水分あるいは異物の侵入から守られている。
【０００４】
【発明が解決しようとする課題】
しかしながら、このような回転数検出装置のパルス発生リング（３）は、前記回転数検出センサー（４）に近づけて最も外部側の大気に露出した配置としているので、飛散する水あるいは異物に直接曝される酷い状況にあり、この水が侵入すれば錆びの発生を招いて回転数の検出能力を低下させ、悪くすると該部分へ異物さえ付着しかねず、異物がパルス発生リング（３）と回転数検出センサー（４）間へ付着侵入すれば該パルス発生リング（３）が異物の回転噛み込みによって損傷を起こし回転検出数を誤らせると云う回転数検出装置として致命的な欠点となって現われる。
本発明はこのような欠点に鑑み、パルス発生部の完璧な保護をなし感知性能と耐久性を飛躍的に向上せしめた回転センサ用ローターを提供することを目的としている。
【０００５】
【課題を解決するための手段】
本発明を図面に基づいて説明すると、図１、図７、図８に示すように、自動車用ホィール等の軸受部（ここでは内輪１ｂを示す）に装着されそのホィールの回転数の検出をなすためのパルスを発生する多極磁石（５）と補強環（６）で構成された回転センサ用ローターであって、前記ローターは、前記多極磁石（５）をフランジ部（６１）へ配した補強環（６）と、前記多極磁石（５）を外部側から包み込む非磁性体製のカバーリング（７）でなり、このカバーリング（７）は、前記多極磁石（５）の外表面を覆う立板部（７ｂ）と、前記多極磁石（５）の外周面を覆う筒部（７ａ）とを有し、前記補強環（６）と前記カバーリング（７）とをカシメ手段（８）を用いて一体化せしめ、前記ローターの外方から回転数検出センサー（４、図示していない）を近接配備せしめ、前記カバーリング（７）の前記筒部７ａは、多極磁石（５）の外周面を覆う覆い部（７ａａ）と、この覆い部（７ａａ）から延びる端縁とで成り、この端縁を、このカバーリング（７）の他の部分よりも薄肉に形成した薄肉部（１０）とし、且つ、前記カバーリング（７）の前記端縁は、円周方向の複数個所に先端から軸方向に延びるスリット（１１）を有し、前記筒部（７ａ）の覆い部（７ａａ）の、前記端縁の付近を多極磁石（５）の外周面の軸受内側端に当接させて、この当接部分以外で前記覆い部（７ａａ）と多極磁石（５）の外周面との間に径方向隙間を設け、前記カシメ手段（８）は、補強環（６）に前記薄肉部（１０）を変形かしめせしめたものとしたことを特徴としている。
【０００６】
なお、前記補強環（６）と前記カバーリング（７）とを一体化するカシメ手段（８）としては、前記カバーリング（７）の一部分を変形せしめる変形カシメ（８１）を用いることを特徴としている。
【０００７】
【発明の実施の形態】
本発明は、上記した構造をもって下記に示す優れた作用をなす。
すなわち、軸受部（図１では内輪１ｂ）に装着固定されたローターはパルスを発生する多極磁石（５）を径方向のフランジ部（６１）に配備しており、この径方向に設けられた多極磁石（５）がその外側に位置するカバーリング（７）によって覆われカシメられて外部から遮断された状態におかれているので、外方からの影響を全く受けないものとなり、しかも該カバーリング（７）が非磁性体からなるので磁力はこれを簡単に透過しパルス発生性能をいささかも低下させない。
ここで多極磁石（５）は外部から降りかかる石、砂、泥、水等から完全に護られこれらが引き起こすであろう摩耗とか破壊を防いで誤作動のない正確なパルスを半永久的に発生させるものとなる。
【０００８】
【実施例】
本発明での多極磁石（５）は、強磁性材料を合成ゴムあるいは合成樹脂等の弾性素材に混入せしめて型において加硫成型するか、あるいは必要なら予め下地処理と接着剤の塗布された補強環（６）のフランジ部（６１）へ型によって加硫成型接着する。
これと一体化せしめるカバーリング（７）はその厚みを比較的薄目の０．１ｍｍ〜０．６ｍｍに形成配備すると、磁力の透過性が良いことに加えカシメが正確で容易となり、また必要なら前記補強環（６）あるいはカバーリング（７）に図１、及び図４に示すような合成ゴム等の弾性体からなるシールリップ（Ｃ）を形成せしめ、これを軸受部（１ａ、あるいは１ｂ）へ接触または摺動させることで密封性能を高めることもできる。
【０００９】
前記したように補強環（６）とカバーリング（７）とのカシメ手段は、図２ではカバーリング（７）の端縁をフランジ部（６１）側に折り曲げて多極磁石（５）を挟んで変形カシメ（８１）固定されることを示してており、これとは別に図３及び図４で示すように、前記カバーリング（７）の端部へ周方向に突出する弾性体製の突起（９）を設け、フランジ部（６１）の周端をしごき圧入して弾性カシメ（８２）せしめ固定を図ることもできる。
【００１０】
また、図４ではカバーリング（７）に合成ゴム等の弾性体からなるシールリップ（Ｃ）を形成せしめて軸受の内輪（１ｂ）へ接触せしめた組み合せ構造を示したが、ここでのシールリップ（Ｃ）には周方向へ突出する突起（９）を併設しており、密封作用と固定作用の効率の良い作用効果を得ることができる。
【００１１】
組付けにおいては、図５に示すように補強環（６）と多極磁石（５）とカバーリング（７）とをそれぞれ別々に形成せしめ、多極磁石（５）へ着磁した後にそれぞれを組付けてカシメ固定する組付け方法も可能である。
【００１２】
このカシメ固定を容易とするために、図７に示すようにカバーリング（７）の端縁を薄肉に形成し、該薄肉部１０を変形カシメ（８１）せしめれば他部に悪影響を及ぼすことなく正確な組付けが実現され、また、図８で示すようにカバーリング（７）の端縁にスリット（１１）を周状に複数個削設することも効果的であって、ここでは該スリット（１１）の減剛性作用によってその端縁の曲げカシメ作業を極めて容易とすることができる。
【００１３】
勿論前記とは異なり、補強環（６）へ多極磁石（５）を一体的に成形、あるいは接着し、これとカバーリング（７）とをカシメ組付けして一体化を図っても差し支えなく、様々な状況と要求において最適な対処をなせば良い。
なお、前記カバーリング（７）は上記のような性能と剛性を要求されるからその材料としては、例えばＳＵＳ３０４、Ａｌ、ＣｕＺｎ、Ｃｕなどが選択される。
【００１４】
【発明の効果】
本発明によると、回転パルスを発生する多極磁石（５）は外方部へ位置しカシメ固定されるカバーリング（７）によって完全に外気から隔離されており、異物あるいは潤滑油等の被着から守られてキズ、破壊を防いで正確で安定した磁場を形成する。この安定した磁場があって初めて回転数検出センサー（４）の感知性能が発揮されるものであり高精度な回転検出を行なうものとなる。また、多極磁石（５）が弾性体で形成されていてもカバーリング（７）の保護作用によって摩耗が防がれ、実使用においても前記多極磁石（５）をカバーリング（７）がしっかり押さえるサンドイッチ構造であるから剥がれとかズレを防ぎ持てる性能を長期に保持することができる。
【図面の簡単な説明】
【図１】  参考提案例の装着状態を示す実施例の断面図である。
【図２】  参考提案例のカシメ工程を示す一実施例の断面図である。
【図３】  他の参考提案例を示す断面図である。
【図４】  さらに他の参考提案例を示す断面図である。
【図５】  参考提案例の組付け工程を示す実施例の断面図である。
【図６】  本発明を用いない従来例を示す断面図である。
【図７】  本発明の組付け例を示す断面図である。
【図８】  本発明の組付け例の断面図である。
【符号の説明】
１ 軸受部
１ａ 外輪
１ｂ 内輪
２ オイルシール
３ パルス発生リング
４ 回転数検出センサー
５ 多極磁石
６ 補強環
６１ フランジ部
７ カバーリング
８ カシメ手段
８１ 変形カシメ
８２ 弾性カシメ
９ 突起
１０ 薄肉部
１１ スリット
Ｃ シールリップ
【図１】
0004678972.tif 000002
【図２】
0004678972.tif 000003
【図３】
0004678972.tif 000004
【図４】
0004678972.tif 000005
【図５】
0004678972.tif 000006
【図６】
0004678972.tif 000007
【図７】
0004678972.tif 000008
【図８】
0004678972.tif 000009